(57)【要約】  固体照明タイル（１０）は、基板と基板の表面に設けられた複数の照明素子クラスタ（１２）とを含んでいる。複数の照明素子クラスタ（１２）の各々は、固体発光デバイスを備えるように構成された第１のマウント位置及び第２のマウント位置を含み、前記固体照明素子クラスタ（１２）の少なくとも第１のマウント位置及び第２のマウント位置は、電気的に直列接続され得る。タイルは、第１の色の光を発光するように構成された複数の固体発光デバイスをさらに含み、固体発光デバイスの各々は、複数の固体照明素子クラスタ（１２）の各々に取り付けられ得る。第１の第１の色発光デバイスが第１の固体照明素子クラスタ（１２）の第１のマウント位置に取り付けられ、第２の第１の色発光デバイスが第２の照明素子クラスタ（１２）の第２のマウント位置に取り付けられる。
2009516358.tif 000002
【特許請求の範囲】
【請求項１】
固体照明タイルであって、
基板と、
前記基板の表面に設けられた複数の照明素子クラスタと、
第１の色の光を発光するように構成された複数の固体発光デバイスと、
を含み、
前記複数の照明素子クラスタの各々が固体発光デバイスを備えるように構成された第１のマウント位置及び第２のマウント位置を有し、前記照明素子クラスタの少なくとも第１の照明素子クラスタ及び第２の照明素子クラスタが電気的に直列接続され、
前記固体発光デバイスの各々が前記複数の照明素子クラスタの各々に取り付けられ、第１の前記第１の色発光デバイスが、前記第１の照明素子クラスタの前記第１のマウント位置に取り付けられ、第２の前記第１の色発光デバイスが前記第２の照明素子クラスタの前記第２のマウント位置に取り付けられることを特徴とする固体照明タイル。
【請求項２】
前記第１の照明素子クラスタ及び前記第２の照明素子クラスタに直列接続された第３の照明素子クラスタをさらに含み、
前記照明素子クラスタの各々が、固体発光デバイスを備えるように構成された第３のマウント位置を有し、
第３の前記第１の色発光デバイスが前記第３の照明素子クラスタの前記第３のマウント位置に取り付けられることを特徴とする請求項１に記載の固体照明タイル。
【請求項３】
前記第１の前記第１の色発光デバイス、前記第２の前記第１の色発光デバイス、及び前記第３の前記第１の色発光デバイスは電気的に直列接続されることを特徴とする請求項２に記載の固体照明タイル。
【請求項４】
前記照明素子クラスタの前記第１のマウント位置は、前記照明素子クラスタの中心から見て、前記照明素子クラスタの前記第２のマウント位置から回転方向にオフセットされていることを特徴とする請求項１に記載の固体照明タイル。
【請求項５】
前記照明素子クラスタの各々が、固体発光デバイスを備えるように構成された第３のマウント位置を含むことを特徴とする請求項４に記載の固体照明タイル。
【請求項６】
前記照明素子クラスタの前記第３のマウント位置は、前記照明素子クラスタの前記中心から見て、前記第１のマウント位置及び前記第２のマウント位置から回転方向にオフセットされていることを特徴とする請求項５に記載の固体照明タイル。
【請求項７】
前記基板の表面に設けられた反射パネルをさらに含み、前記反射パネルは、前記複数の照明素子クラスタの各々と整列された複数の開口部を有することを特徴とする請求項１に記載の固体照明タイル。
【請求項８】
前記反射パネルは拡散反射体を含むことを特徴とする請求項７に記載の固体照明タイル。
【請求項９】
前記反射パネルはＭＣＰＥＴを含むことを特徴とする請求項８に記載の固体照明タイル。
【請求項１０】
前記照明素子クラスタの各々は、前記固体照明デバイスの上に設けられたカプセルドームを含むことを特徴とする請求項１に記載の固体照明タイル。
【請求項１１】
前記マウント位置の各々に、マウントパッドと、前記マウントパッドから伸長する導線とが設けられ、前記照明素子クラスタの各々は、各前記照明素子クラスタの前記マウント位置を露出するはんだマスクをさらに含み、各前記照明素子クラスタの前記カプセルドームは、前記照明素子クラスタの前記マウントパッドと前記導線とを覆うことを特徴とする請求項１０に記載の固体照明タイル。
【請求項１２】
前記照明素子クラスタの１つに隣接する電気的テストパッドをさらに含み、前記電気的テストパッドは、前記照明素子クラスタの１つの前記発光デバイスの個別のテストを可能にするように構成されていることを特徴とする請求項１０に記載の固体照明タイル。
【請求項１３】
前記第１の照明素子クラスタ及び前記第２の照明素子クラスタは、前記基板の第１の端部から前記第１の端部の反対の前記基板の第２の端部に伸長する第１の経路において直列接続され、前記照明パネルは、第２の経路において直列接続された第３の照明素子クラスタ及び第４の照明素子クラスタをさらに含み、前記第３の照明素子クラスタ及び前記第４の照明素子クラスタは前記基板の前記第２の端部から前記基板の前記第１の端部へ第１のストリングに平行に伸長することを特徴とする請求項１に記載の固体照明タイル。
【請求項１４】
前記固体照明タイルを貫通する保持ホールをさらに含み、前記保持ホールは、前記第１のストリングにおける前記第１の照明素子クラスタ及び前記第２の照明素子クラスタと第２のストリングの前記第３の照明素子クラスタ又は前記第４の照明素子クラスタの一方とにより構成される三角形の中心付近に配置されていることを特徴とする請求項１３に記載の固体照明タイル。
【請求項１５】
前記第１の照明素子クラスタ及び前記第２の照明素子クラスタと共に前記タイルにおいて三角形を画定する第３の照明素子クラスタをさらに含み、
前記第１の照明素子クラスタ、前記第２の照明素子クラスタ、及び前記第３の照明素子クラスタの各々は、照明素子クラスタを備えるように構成された第３のマウント位置を含み、
第３の前記第１の色発光デバイスは前記第３の照明素子クラスタの前記第３のマウント位置に取り付けられることを特徴とする請求項１に記載の固体照明タイル。
【請求項１６】
前記第１の照明素子クラスタ、前記第２の照明素子クラスタ、及び前記第３の照明素子クラスタは、正三角形を形成するように配置されることを特徴とする請求項１５に記載の固体照明タイル。
【請求項１７】
請求項１に記載の固体照明タイルを含むＬＣＤディスプレイ用のバックライト。
【請求項１８】
請求項１に記載の固体照明タイルを含む固体照明器具。
【請求項１９】
固体照明タイルであって、
基板と、
前記基板の表面に設けられた複数の照明素子クラスタと、
第１の色の光を発光するように構成された複数の第１の固体発光デバイスと、第２の色の光を発光するように構成された複数の第２の固体発光デバイスと、第３の色の光を発光するように構成された複数の第３の固体発光デバイスと、
を含み、
前記複数の照明素子クラスタの各々は固体発光デバイスを備えるように構成された第１のマウント位置、第２のマウント位置、及び第３のマウント位置を含み、
前記第１の固体発光デバイス、前記第２の固体発光デバイス、及び前記第３の固体発光デバイスの各々は、前記複数の照明素子クラスタの各々に取り付けられ、前記照明素子クラスタの各々は、第１の固体発光デバイス、第２の固体発光デバイス、及び第３の固体発光デバイスを含み、
前記照明素子クラスタは、前記照明素子クラスタにおける各前記第１の発光デバイス、前記第２の発光デバイス、及び第３の発光デバイスのマウント位置が隣接する照明素子クラスタにおいて繰りかえされないことを特徴とする固体照明タイル。
【請求項２０】
前記照明素子クラスタの前記第１のマウント位置は、前記照明素子クラスタの中心から見て、前記照明素子クラスタの前記第２のマウント位置から回転方向にオフセットされていることを特徴とする請求項１９に記載の固体照明タイル。
【請求項２１】
前記照明素子クラスタの前記第３のマウント位置は、前記照明素子クラスタの前記中心から見て、前記第１のマウント位置及び前記第２のマウント位置から回転方向にオフセットされていることを特徴とする請求項２０に記載の固体照明タイル。
【請求項２２】
前記複数の照明素子クラスタは、第１のラインに沿って配置された第１のグループの照明素子クラスタと、前記第１のラインに平行である第２のラインに沿って配置された第２のグループの照明素子クラスタとを含み、前記第２のグループの照明素子クラスタは前記第１のグループの照明素子クラスタから幅方向にオフセットされていることを特徴とする請求項１９に記載の固体照明タイル。
【請求項２３】
前記第２のグループの照明素子クラスタは、前記第１のグループの照明素子クラスタから長さｄだけオフセットされ、前記長さｄは、前記第１のグループの照明素子クラスタにおける前記照明素子クラスタの隣接する前記照明素子クラスタ同士の間の間隔の約半分であることを特徴とする請求項２２に記載の固体照明タイル。
【請求項２４】
請求項１９に記載の固体照明タイルを含むＬＣＤディスプレイ用のバックライト。
【請求項２５】
請求項１９に記載の固体照明タイルを含む固体照明器具。
【請求項２６】
基板と、
前記基板の表面に設けられた照明素子クラスタと、
を含む固体照明タイルであって、
前記照明素子クラスタは、
固体発光デバイスを備えるように構成された第１のダイ取付パッド及び第２のダイ取付パッドと、
前記第１のダイ取付パッド及び前記第２のダイ取付パッドに付随した第１のワイヤボンドパッド及び第２のワイヤボンドパッドと、
前記第１のダイ取付パッド及び前記第２のダイ取付パッドから前記照明素子クラスタの第１のサイドに伸長する第１の電気配線及び第２の電気配線と、
第１のワイヤボンドパッド及び第２のワイヤボンドパッドから前記第１のサイドの反対の前記照明素子の第２のサイドに伸長する第３の電気配線及び第４の電気配線と、
を含み、
前記第２の電気配線は、第１の電気配線よりも、前記照明素子クラスタの前記第１のサイドと前記第２のサイドとの間の前記照明素子クラスタの第３のサイドに近く、前記第３の電気配線は、前記第４の電気配線よりも前記照明素子クラスタの前記第３のサイドに近いことを特徴とする固体照明タイル。
【請求項２７】
前記照明素子クラスタは、
固体発光デバイスを備えるように構成された第３のダイ取付パッドと、
前記第３のダイ取付パッドに付随した第３のワイヤボンドパッドと、
前記第３のダイ取付パッドから前記照明素子クラスタの前記第１のサイドに伸長する第５の電気配線と、
前記第３のワイヤボンドパッドから前記照明素子クラスタの前記第２のサイドに伸長する第６の電気配線と、
をさらに含み、
前記第５の電気配線は、前記照明素子クラスタの前記第１のサイドにおける前記第１の電気配線と前記第２の電気配線との間にあり、前記第３の電気配線は、前記照明素子クラスタの前記第２のサイドにおける前記第４の電気配線と前記第６の電気配線との間にあることを特徴とする請求項２６に記載の固体照明タイル。
【請求項２８】
前記第１のダイ取付パッドは、前記照明素子クラスタの中心から見て、前記第２のダイ取付パッドから回転方向にオフセットされていることを特徴とする請求項２７に記載の固体照明タイル。
【請求項２９】
前記第３のダイ取付パッドは、前記照明素子クラスタの前記中心から見て、前記第１のダイ取付パッド及び前記第２のダイ取付パッドから回転方向にオフセットされていることを特徴とする請求項２８に記載の固体照明タイル。
【請求項３０】
請求項２６に記載の固体照明タイルを含むＬＣＤディスプレイ用のバックライト。
【請求項３１】
請求項２６に記載の固体照明タイルを含む固体照明器具。
【請求項３２】
固体照明タイルを形成する方法であって、
複数の照明素子クラスタ位置を前記タイルに画定するステップであって、前記照明素子クラスタ位置は、第１のマウント位置、第２のマウント位置、及び第３のマウント位置において第１のダイ取付パッド、第２のダイ取付パッド、及び第３のダイ取付パッドを有する、ステップと、
第１の色の光を発光するように構成された第１の発光デバイスを第１の照明素子クラスタ位置の第１のマウント位置に取り付けるステップと、
前記第１の色の光とは異なる色の光を発光するように構成された第２の発光デバイスを前記第１の照明素子クラスタ位置に隣接する第２の照明素子クラスタ位置の前記第１のマウント位置に取り付けるステップと、
を含むことを特徴とする固体照明タイルを形成する方法。
【請求項３３】
前記第１の色の光を発光するように構成された第３の発光デバイスを前記第２の照明素子クラスタ位置の前記第１のマウント位置以外のマウント位置に取り付けるステップをさらに含むことを特徴とする請求項３２に記載の方法。
【請求項３４】
各照明素子クラスタ位置の前記第１のマウント位置、前記第２のマウント位置、及び前記第３のマウント位置は、互いに回転方向にオフセットされていることを特徴とする請求項３２に記載の方法。
【請求項３５】
前記照明素子クラスタ位置を画定するステップは前記照明素子クラスタを前記タイルにおいて所定配列された複数の三角形配置に配置するステップを含むことを特徴とする請求項３２に記載の方法。
【請求項３６】
前記所定配列された複数の三角形配置の１つの三角形の中心に保持ホールを形成するステップをさらに含むことを特徴とする請求項３５に記載の方法。
【請求項３７】
前記第１の発光デバイスを前記第３の発光デバイスと直列接続するステップをさらに含むことを特徴とする請求項３３に記載の方法。
【請求項３８】
固体照明タイルであって、
前記タイルの表面に設けられた複数の照明素子クラスタを含み、前記複数の照明素子クラスタの各々は、複数の異なる色のＬＥＤを備えるように構成され、少なくとも２つの前記照明素子クラスタは、前記照明素子クラスタにおける異なるマウント位置に前記異なる色のＬＥＤを備えるように構成された固体照明タイル。
【請求項３９】
前記照明素子クラスタの各々は、第１のマウント位置及び第２のマウント位置を含み、照明素子クラスタの前記第１のマウント位置は、前記照明素子クラスタの中心から見て、前記照明素子クラスタの前記第２のマウント位置から回転方向にオフセットされていることを特徴とする請求項３８に記載の固体照明タイル。
【請求項４０】
前記照明素子クラスタの各々は、固体発光デバイスを備えるように構成された第３のマウント位置を含み、前記照明素子クラスタの第３のマウント位置は、前記照明素子クラスタの中心から見て、前記第１のマウント位置及び前記第２のマウント位置から回転方向にオフセットされていることを特徴とする請求項３９に記載の固体照明タイル。
【発明の詳細な説明】
【技術分野】
【０００１】
本出願は、発明の名称「ＬＥＤバックライトモジュールの相互接続及び集積化のためのシステム及び方法（Ｓｙｓｔｅｍ  ａｎｄ  ｍｅｔｈｏｄ  ｆｏｒ  ｉｎｔｅｒｃｏｎｎｅｃｔｉｏｎ  ａｎｄ  ｉｎｔｅｇｒａｔｉｏｎ  ｏｆ  ＬＥＤ  ｂａｃｋｌｉｇｈｔｉｎｇ  ｍｏｄｕｌｅｓ）」（２００５年１１月１８日に出願した米国特許仮出願第６０／７３８，３０５号）と、発明の名称「固体バックライトユニットアッセンブリ及び方法（Ｓｏｌｉｄ  ｓｔａｔｅ  ｂａｃｋｌｉｇｈｔｉｎｇ  ｕｎｉｔ  ａｓｓｅｍｂｌｙ  ａｎｄ  ｍｅｔｈｏｄｓ）」（２００５年１２月９日に出願した米国特許仮出願第６０／７４９，１３３号）とにかかる利益及び優先権を主張し、これらの開示は参照により、その内容全てを本願明細書に組み込むものとする。
【０００２】
本発明は、固体照明に関し、特に、固体照明素子を含むタイル及び／又はパネルに関する。
【背景技術】
【０００３】
固体照明アレイは、多数の照明用途に使用されている。例えば、固体照明デバイスのアレイを含む固体照明パネルは、例えば、建築上の照明及び／又はアクセント照明において、直接照明光源として使用されてきた。固体照明デバイスは、例えば、１つ以上の発光ダイオード（ＬＥＤ）を含むパッケージ化された発光デバイスを含んでいてもよい。無機ＬＥＤは、ｐｎ接合を形成する半導体層を通常含んでいる。有機発光層を含む有機ＬＥＤ（ＯＬＥＤ）は固体発光デバイスの異なるタイプである。一般的に、固体発光デバイスは、発光層すなわち発光領域において、電子キャリア、すなわち電子及びホールの再結合によって、光を生成する。
【０００４】
固体照明パネルは、移動式電子デバイスにおいて使用されるＬＣＤディスプレイスクリーンのような小さな液晶ディスプレイ（ＬＣＤ）ディスプレイスクリーン用のバックライトとして一般的に使用されている。さらに、ＬＣＤテレビディスプレイのような大きなディスプレイ用のバックライトとして固体照明パネルを使用することへの関心が高まっている。
【発明の開示】
【発明が解決しようとする課題】
【０００５】
小さなＬＣＤスクリーンについては、バックライトアッセンブリは、波長変換蛍光体を被覆した青色発光ＬＥＤを含む白色ＬＥＤ照明デバイスを一般的に使用しており、前記波長変換蛍光体は、ＬＥＤにより発光された青色光の一部を黄色光に変換する。青色光と黄色光との組み合わせにより生じた光は、観測者にとって白色のように見えるかもしれない。しかし、このような構造により生成された白色光は、白色のように見えるかもしれないが、前記光により照らされた物体は、前記光の制限されたスペクトルの故に、自然な色を有するようには見えないかもしれない。例えば、光は、可視スペクトルの赤色領域においてほとんどエネルギを有していないので、物体における赤色は、前記光によって十分に照らされないであろう。この結果、物体は、このような光源の下で見られるとき、不自然な色を有するように見られるかもしれない。
【０００６】
光源の演色評価数（ｃｏｌｏｒ  ｒｅｎｄｅｒｉｎｇ  ｉｎｄｅｘ）は、光源により生成された光の広範囲の色を正確に照らす能力の客観的尺度である。演色評価数は、単色光源用の基本的にゼロから白熱光源用の約１００までの範囲である。蛍光体を基にした固体光源から生成される光は、比較的低い演色評価数を有し得る。
【０００７】
大型のバックライト及び照明用途については、照明パネルにより照らされた物体及び／又はディスプレイスクリーンがより自然に見えるように、高い演色評価数を有する白色光を生成する光源を備えていることがしばしば望まれる。よって、前記光源は、赤色発光デバイス、緑色発光デバイス、及び青色発光デバイスを含む個体照明デバイスのアレイを一般的に含むであろう。赤色発光デバイス、緑色発光デバイス、及び青色発光デバイスが、同時に励起されたとき生じる光の組み合わせは、赤色光源、緑色光源、及び青色光源の相対的な強度によって、白色又はほぼ白色に見え得る。「白色」と考えられ得る光の多くの異なる色相が存在する。例えば、ナトリウム（sodium vapor）照明デバイスにより生成される光のような「白色」光は、黄色がかった色に見える。一方、蛍光照明デバイスにより生成されるような「白色」光は、より青みがかった色に見られ得る。
【０００８】
赤色光源、緑色光源、及び青色光源のような複数の異なる色の照明素子を含むディスプレイパネルのような光源が、一貫した画像を表示するために、異なる色の照明素子からの光が、光が光源により照射される前に、完全に混ぜ合わされることが一般的に望ましい。しかし、ディスプレイパネルは薄型化されるにつれて、異なる色の光源からの光を十分に混ぜ合わせることはより難しくなるかもしれない。
【０００９】
大きなディスプレイ及び／又は照明用途については、複数の固体照明タイルが、例えば２次元アレイのように、互いに結合されて、大きな照明パネルを形成してもよい。しかし、残念なことに、生成される白色光の色相は、タイル毎及び／又は照明デバイス毎に変化し得る（異なることがある）。このような相違は、多数の要因から生じ得る。前記多数の要因は、異なるＬＥＤからの照射の強度の相違、及び／又は照明デバイス及び／又はタイルにおけるＬＥＤの配置の相違である。
【課題を解決するための手段】
【００１０】
本発明のいくつかの実施形態による固体照明タイルは、基板と前記基板の表面に設けられた複数の光源とを含んでいる。前記複数の光源の各々は、固体発光デバイスを備えるように構成された第１のマウント位置及び第２のマウント位置を含み、固体光源の少なくとも第１の固体光源及び第２の固体光源は電気的に直列接続され得る。タイルは、第１の色の光を発光するように構成された複数の固体発光デバイスをさらに含み、固体発光デバイスの各々は、複数の固体光源の各々に取付られ得る。第１の第１の色発光デバイスが第１の固体光源の第１のマウント位置に取り付けられ、第２の第１の色発光デバイスが第２の固体光源の第２のマウント位置に取り付けられ得る。
【００１１】
固体照明タイルは、第１の光源及び第２の光源と直列接続された第３の光源をさらに含んでもよい。光源の各々は、固体発光デバイスを備えるように構成された第３のマウント位置を含み、第３の第１の色発光デバイスが第３の固体光源の第３のマウント位置に取り付けられ得る。第１の第１の色発光デバイス、第２の第１の色発光デバイス、及び第３の第１の色発光デバイスが、電気的に直列接続され得る。
【００１２】
光源の第１のマウント位置は、光源の中心から見て、光源の第２のマウント位置から回転方向（回転中心は光源の中心である）にオフセットされ得る。
【００１３】
光源の各々は、固体発光デバイスを備えるように構成された第３のマウント位置を含み、光源の第３のマウント位置は、光源の中心に対して、第１のマウント位置及び第２のマウント位置から回転方向にオフセットされ得る。
【００１４】
固体照明タイルは、基板の表面に設けられた反射パネルをさらに含んでいてもよく、反射パネルは、複数の光源の各々と整列された複数の開口部を含んでいる。反射パネルは、拡散反射体を含んでいてもよく、ＭＣＰＥＴを含んでいてもよい。光源の各々は、固体照明デバイスの上にカプセルドームを含んでいる。
【００１５】
マウント位置の各々に、マウントパッド及び前記マウントパッドから離れるように伸長する導線が設けられてもよく、光源の各々は、各光源のマウント位置を露出するためのはんだマスク（レジスト）をさらに含んでいてもよい。各光源のカプセルドームは、光源のマウントパッド及び導線を覆ってもよい。
【００１６】
固体照明パネルは、１つの光源に隣接する電気的テストパッドをさらに含んでいてもよい。電気的テストパッドは、１つの光源の発光デバイスの個々のテストを可能にするように構成されてもよい。
【００１７】
第１の光源及び第２の光源は、基板の第１の端部から、前記第１の端部の反対側の基板の第２の端部に伸長する第１の経路において直列接続されてもよい。照明パネルは、第２の経路において直列接続され、基板の第２の端部から基板の第１の端部へ第１のストリングに平行に伸長する第３の光源及び第４の光源をさらに含んでいてもよい。
【００１８】
固体照明タイルは、保持ホール（貫通孔）をさらに含み、保持ホールは、第１のストリングにおける第１の光源及び第２の光源と第２のストリングの第３の光源又は第４の光源の一方とにより形成される三角形の中心付近に配置される。
【００１９】
固体照明タイルは、第１の光源及び第２の光源と共にタイルにおいて三角形を画定する第３の固体光源をさらに含み得る。第１の固体光源、第２の固体光源、及び第３の固体光源の各々は、固体光源を備えるように構成された第３のマウント位置を含み得る。第３の第１の色発光デバイスは第３の固体光源の第３のマウント位置に取り付けられ得る。第１の光源、第２の光源、及び第３の光源は正三角形を形成するように配置され得る。
【００２０】
本発明の更なる実施形態による固体照明素子は、基板と前記基板の表面に設けられた複数の光源とを含んでいる。前記複数の光源の各々は、固体発光デバイスを備えるように構成された第１のマウント位置、第２のマウント位置、及び第３のマウント位置と、第１の色の光を発光するように構成された複数の第１の固体発光デバイスと、第２の色の光を発光するように構成された複数の第２の固体発光デバイスと、第３の色の光を発光するように構成された複数の第３の固体発光デバイスとを含んでいる。第１の固体発光デバイス、第２の固体発光デバイス、及び第３の固体発光デバイスの各々は、光源の各々が、第１の固体発光デバイス、第２の固体発光デバイス、及び第３の固体発光デバイスを含むように、複数の固体光源の各々に取り付けられる。光源は、光源における各第１の発光デバイス、第２の発光デバイス、及び第３の発光デバイスのマウント位置が隣接する光源において繰り返されないように構成されてもよい。
【００２１】
固体光源の第１のマウント位置は、固体光源の中心から見て、固体光源の第２のマウント位置から回転方向にオフセットされてもよい。光源の第３のマウント位置は、光源の中心から見て、第１のマウント位置及び第２のマウント位置から回転方向にオフセットされてもよい。
【００２２】
前記複数の光源は、第１のラインに沿って配置された第１のグループの光源と、第１のラインに平行である第２のラインに沿って配置された第２のグループの光源とを含み、第２グループの光源は、第１のグループの光源から長手方向にオフセットされてもよい。いくつかの実施形態において、第２のグループの光源は、第１のグループの光源から長さｄだけオフセットされてもよく、長さｄは、第１のグループの光源における光源の隣接する光源同士の間の間隔の約半分であってもよい。
【００２３】
本発明の更なる実施形態による固体照明タイルは、基板と前記基板の表面に設けられた光源とを含んでいる。光源は、固体発光デバイスを備えるように構成された第１のダイ取付パッド及び第２のダイ取付パッドと、第１のダイ取付パッド及び第２のダイ取付パッドに付随した第１のワイヤボンドパッド及び第２のワイヤボンドパッドと、第１のダイ取付パッド及び第２のダイ取付パッドから光源の第１のサイドに伸長する第１の電気配線及び第２の電気配線と、第１のワイヤボンドパッド及び第２のワイヤボンドパッドから第１のサイドの反対の光源の第２のサイドに伸長する第３の電気配線及び第４の電気配線とを含んでいる。第２の電気配線は、第１の電気配線よりも、光源の第１のサイドと第２のサイドとの間の光源の第３のサイドに近くてもよく、第３の電気配線は、第４の電気配線よりも、光源の第３のサイドに近くてもよい。
【００２４】
光源は、固体発光デバイスを備えるように構成された第３のダイ取付パッドと、第３のダイ取付パッドに付随した第３のワイヤボンドパッドと、第３のダイ取付パッドから光源の第１のサイドに伸長する第５の電気配線と、第３のワイヤボンドパッドから光源の第２のサイドに伸長する第６の電気配線とをさらに含み得る。第５の電気配線は、光源の第１のサイドにおける第１の電気配線と第２の電気配線との間にあってもよく、第３の電気配線は、光源の第２のサイドにおける第４の電気配線と第６の電気配線との間にあってもよい。
【００２５】
第１のダイ取付パッドは、光源の中心から見て、第２のダイ取付パッドから回転方向にオフセットされ得る。第３のダイ取付パッドは、光源の中心から見て、第１のダイ取付パッド及び第２のダイ取付パッドから回転方向にオフセットされ得る。
【００２６】
本発明のいくつかの実施形態による固体照明タイルを形成する方法は、タイル上に複数の光源位置を画定するステップを含んでいてもよい。前記光源位置は、第１のダイ取付パッド、第２のダイ取付パッド、及び第３のダイ取付パッドを有する第１のマウント位置、第２のマウント位置、及び第３のマウント位置を含む。また、前記方法は、第１の色の光を発光するように構成された第１の発光デバイスを第１の光源位置の第１のマウント位置に取り付けるステップと、第１の色の光以外の色の光を発光するように構成された第２の発光デバイスを第１の光源位置に隣接する第２の光源位置の第１のマウント位置に取り付けるステップとを含んでいる。光源位置を画定するステップは、タイル上の三角形配置に光源を設けるステップを含んでいてもよい。
【００２７】
前記方法は、第１の色の光を発光するように構成された第３の発光デバイスを第２の光源の第１のマウント位置以外のマウント位置に取り付けるステップをさらに含み得る。各光源位置の第１のマウント位置、第２のマウント位置、及び第３のマウント位置は、互いに回転方向にオフセットされ得る。
【００２８】
前記方法は、所定配列された複数の三角形配置の１つの三角形の中心に位置決めされた保持ホールを形成するステップをさらに含み得る。前記方法は第１の発光デバイスを第３の発光デバイスと直列に接続するステップをさらに含み得る。
【００２９】
本発明のさらなる実施形態による固体照明タイルは、タイルの表面に設けられた複数の照明素子クラスタを含んでいる。各照明素子クラスタは複数の異なる色のＬＥＤを備えるように構成され、少なくとも２つの照明素子クラスタが異なるマウント位置に異なる色のＬＥＤを備えるように構成される。
【００３０】
各照明素子クラスタは、第１のマウント位置及び第２のマウント位置を含み得る。照明素子クラスタの第１のマウント位置は、照明素子クラスタの中心から見て、照明素子クラスタの第２のマウント位置から回転方向にオフセットされ得る。
【００３１】
各照明素子クラスタは、固体発光デバイスを備えるように構成された第３のマウント位置を含み、照明素子クラスタの第３のマウント位置は、照明素子クラスタの中心から見て、第１のマウント位置及び第２のマウント位置から回転方向（回転中心は照明素子クラスタの中心である）にオフセットされ得る。
【００３２】
本発明の実施形態による別の装置及び／又は別の方法が、添付図面及び発明を実施するための最良の形態を見ると、当業者には明確であるか、明確となるであろう。このような追加の装置及び／方法の全ては本明細書に含めること、本発明の請求の範囲に含めること、及び特許請求の範囲により保護することを意図している。
【００３３】
本発明の更なる理解を提供するために包含され、且つ本願に組み込まれ、本願の一部をなす添付図面は、本発明のある実施形態を示している。
【発明を実施するための最良の形態】
【００３４】
本発明の実施形態が示されている添付図面を参照しつつ、本発明の実施形態を以下においてより詳しく説明する。なお、本発明は、多くの異なる形態において実施されてもよく、本明細書において記載される実施形態に限定するように解釈されるべきではない。むしろ、これらの実施形態は、本開示が完全となり、当業者に本発明の範囲を完全に伝えるように提供される。同じ符号は全体を通して同じ要素を示している。
【００３５】
第１、第２等の用語が様々な要素を説明するために本明細書において使用され得るが、これらの要素はかかる用語により限定されるべきではない。かかる用語は、単に１つの要素を別の要素と区別するために使用される。例えば、本発明の範囲を逸脱することなく、第１の要素は第２の要素と称されてもよく、同様に、第２の要素は第１の要素と称されてもよい。本明細書において、用語「及び／又は」は、関連する列挙項目の１つ以上のいかなる組み合わせ及び全ての組み合わせを含む。
【００３６】
層、領域、又は基板のような要素が、別の要素の「（上）に」ある又は「（上）に」伸長するとして言及されるとき、前記要素は別の要素（上）に直接あるか、若しくは別の要素（上）に直接伸長し得るか、又は介在要素が存在していてもよい。対照的に、要素が、別の要素「（上）に直接」ある又は「（上）へ直接」伸長するとして言及されるとき、介在要素は存在していない。要素が、別の要素に「接続される」又は「結合される」として言及されるとき、前記要素は、別の要素に直接接続され得るか、若しくは直接結合され得るか、又は介在要素が存在していてもよい。対照的に、要素が、別の要素に「直接接続される」又は「直接結合される」として言及されるとき、介在要素は存在していない。
【００３７】
「下方に」若しくは「上方に」、「上部」若しくは「下部」、又は「水平な」若しくは「垂直な」のような対比用語が、図面に示したような１つの要素、層、若しくは領域と別の要素、層、領域との関係を説明するために、本明細書において使用している。これらの用語は、図面に示される装置の方向・向き・姿勢に加えて、それら以外の異なる方向・向き・姿勢を包含することを意図している。
【００３８】
本明細書において使用される用語は、特定の実施形態を説明することを目的としており、本発明を限定することを意図しているわけではない。本明細書では、文脈が別段に明確に示していない限り、単数形「１つの（ａ）」、「１つの（ａｎ）」、及び「その（ｔｈｅ）」は、複数形も含むことを意図している。用語「含む」及び／又は「有する」が本明細書において使用されるとき、かかる用語は、記述された特徴、数値（ｉｎｔｅｇｅｒｓ）、ステップ、動作、要素、及び／又は部品の存在を明示するが、１つ以上の別の特徴、数値、ステップ、動作、要素、部品、及び／又はこれらの群の存在又は追加を排除するものではない。
【００３９】
別段に定義されない限り、本明細書において使用される全ての用語（技術的用語及び科学的用語を含む）は、本発明が属している技術分野の当業者により一般的に理解されている意味と同一の意味を有している。本明細書において明確にそう定義されない限り、本明細書において使用される用語は、本願及び関連技術の文脈における意味と一致する意味を有するとして解釈されるべきであり、理想化又は過剰に形式化した意味に解釈されるべきではない。
【００４０】
本発明は、本発明の実施形態による方法、システム、及びコンピュータプログラム（プロダクト）のフローチャート図及び／又はブロック図を参照しつつ、以下において説明される。ブロックに記載された機能／動作は、操作図に記載した順序と異なる順序で行ってもよい。例えば、連続して示した２つのブロックは、実際には、その機能／動作によっては、ほぼ同時に実施されてもよく、又は、ブロックは、逆の順序で実施されてもよい。幾つかの図面は、伝達経路において矢印を含み、伝達の主要な方向を示しているが、伝達は、示した矢印の反対方向に起こってもよい。
【００４１】
図１を参照すると、固体照明タイル１０は、固体照明タイル１０において、規則的及び／又は不規則的な２次元アレイに配置された多数の固体照明素子クラスタ１２を含んでいてもよい。タイル１０は、例えば、１つ以上の回路要素が取り付けられ得るプリント回路基板（ＰＣＢ）を含んでいてもよい。特に、タイル１０は、メタルコアを含むメタルコアＰＣＢ（ＭＣＰＣＢ）を含んでいてもよく、前記メタルコアは、パターン化された金属配線（図示せず）が形成され得るポリマーコーティングを有している。ＭＣＰＣＢ材料及びＭＣＰＣＢ材料に類似する材料は、例えば、バーグキスト社（Bergquist Company）から市販されている。ＰＣＢは、重い被覆金属（４オンス以上の銅）及び／又は熱ビアを有する通常のＦＲ−４ＰＣＢ材料をさらに含んでいてもよい。ＭＣＰＣＢ材料は、通常のＰＣＢ材料と比較して、熱性能が良いであろう。しかし、ＭＣＰＣＢ材料は、メタルコアを含んでいない通常のＰＣＢ材料よりも重いかもしれない。
【００４２】
図１に示した実施形態において、照明素子クラスタ１２は、クラスタ当たり３つの固体発光デバイスからなるマルチチップクラスタである。タイル１０において、３つの照明素子クラスタ１２は第１の経路２０において直列に配置され、一方、３つの照明素子クラスタ１２は第２の経路２１において直列に配置されている。第１の経路２０の照明素子クラスタ１２は、例えばプリント回路を介して、タイル１０の第１の端部に配置された１組の３つのアノード接続部２２と、タイル１０の第２の端部に配置された１組の３つのカソード接続部２４とに接続される。第２の経路２１の照明素子クラスタ１２は、タイル１０の第２の端部に配置された１組の３つのアノード接続部２６と、タイル１０の第１の端部に配置された１組の３つのカソード接続部２８とに接続される。タイル１０は、照明素子クラスタ１２同士の間に電気的テストパッド１５をさらに含んでいてもよい。電気的テストパッド１５は、照明素子クラスタ１２の発光デバイスの個別のテストを可能にするように構成されている。
【００４３】
固定（ロック）機構２７がタイル１０のほぼ中心に配置されている。例えば、固定（ロック）機構２７はタイル１０に形成された開口部であってもよく、開口部は、開口部を通ってねじり固定（ｔｗｉｓｔ−ｌｏｃｋｉｎｇ）機構を収容してもよい。
【００４４】
アライメントノッチ２９が、エッジコネクタ（図示せず）の結合を補助するように、タイル１０に設けられてもよい。さらに、ノッチ３３が、反射板４０及び／又はタイル１０と基板のねじ及び／又はタイル１０が取り付けられる棒状部との間の接触を防止するために、タイル１０の角に設けられてもよい。タイル１０は、１つ以上の自動化指標（インデックス）ホール（図示せず）をさらに含んでいてもよく、前記自動化指標（インデックス）ホールは、自動化製造ステップの間、タイルを移動するのに使用され得る。
【００４５】
１つ以上の保持ホール３５が、図１に示すように、タイル１０に存在していてもよい。保持ホール３５は、反射パネル４０（図５）をタイル１０と整列するために使用され得る。反射パネル４０及びタイル１０は、例えば、プッシュピン、留め具（ｓｎａｐ）、ネジ、及び／又は任意の他の保持機構を用いて、接合されてもよい。いくつかの実施形態において、反射パネル４０及びタイル１０は、両面接着テープ又は他の接着手段を用いて接合されてもよい。
【００４６】
固体照明素子クラスタ１２は、例えば、有機発光デバイス及び／又は無機発光デバイスを含んでいてもよい。ハイパワーの照明用途のための固体照明素子クラスタ１２の例が図２に示されている。固体照明素子クラスタ１２は、複数のＬＥＤチップ１６が取り付けられるキャリア基板１３を含むパッケージ化された別個の電子部品を含んでいてもよい。別の実施形態において、１つ以上の固体照明素子クラスタ１２が、タイル１０の表面に設けられた電気配線に直接取り付けられるＬＥＤチップ１６を含み、マルチチップモジュール又はチップオンボードアッセンブリを形成してもよい。
【００４７】
ＬＥＤチップ１６は、少なくとも赤色ＬＥＤ１６Ｒ、緑色ＬＥＤ１６Ｇ、青色ＬＥＤ１６Ｂを含み得る。青色ＬＥＤ及び／又は緑色ＬＥＤは、本発明の譲受人であるクリー社（Ｃｒｅｅ，Ｉｎｃ）から入手可能なＩｎＧａＮ青色ＬＥＤチップ及び／又はＩｎＧａＮ緑色ＬＥＤチップであってもよい。赤色ＬＥＤは、例えば、エピスター（Ｅｐｉｓｔａｒ）社及びオスラム（Ｏｓｒａｍ）社等から入手可能なＡｌＩｎＧａＰＬＥＤチップであってもよい。照明デバイス１２は、追加の緑色ＬＥＤを含んで、より多くの（多量の）緑色光を発光できるようにしてもよい。
【００４８】
いくつかの実施形態において、ＬＥＤ１６は、約９００μｍ以上のエッジ長を有する正方形又は長方形の周辺（外形）を有していてもよい（いわゆる「パワーチップ」）。しかし、別の実施形態において、ＬＥＤチップ１６は、５００μｍ以下のエッジ長を有していてもよい（いわゆる「スモールチップ」）。特に、スモールＬＥＤチップは、パワーチップより良好な電気変換効率で作動し得る。５００ミクロン未満（最小で２６０ミクロン）の最大エッジ寸法を有する緑色ＬＥＤチップは、９００ミクロンチップより高い電気変換効率を一般的に有しており、消失電力１ワット当たり５５ルーメンス（最大で９０ルーメンス）の光束を通常生成することが知られている。
【００４９】
図２にさらに示したように、ＬＥＤ１６は、カプセルドーム１４により覆われていてもよく、前記カプセルドーム１４は、透明であってもよく、並びに／又は光散乱粒子、蛍光体、及び／若しくは他の要素を含み、望まれる発光パターン、色、及び／又は強度を達成してもよい。図２に示していないが、照明素子クラスタ１２は、ＬＥＤ１６を囲む反射体カップ、ＬＥＤ１６の上方に取り付けられるレンズ、照明デバイスから熱を除去する１つ以上のヒートシンク、静電放電保護チップ、及び／又は他の要素をさらに含んでいてもよい。
【００５０】
タイル１０における照明素子クラスタ１２のＬＥＤチップ１６は、図３の概略回路図に示したように、電気的に相互接続され得る。図３に示したように、第１の経路２０における青色ＬＥＤ１６Ｂが直列接続されて、ストリング３２Ｂを形成するように、ＬＥＤが相互接続され得る。同様に、第１の経路２０における緑色ＬＥＤ１６Ｇが、直列に配置されて、ストリング３２Ｇを形成し得る。赤色ＬＥＤ１６Ｒが、直列に配置されて、ストリング３２Ｒを形成し得る。各ストリング３２Ｒ、３２Ｇ、３２Ｂは、タイル１０の第１の端部に配置された各アノード接続部２２Ｒ、２２Ｇ、２２Ｂ、及びタイル１０の第２の端部に配置された各カソード接続部２４に接続され得る。
【００５１】
ストリング３２Ｒ、３２Ｇ、３２Ｂは、第１の経路２０における対応するＬＥＤの全て又はそれ未満の数のＬＥＤを含んでいてもよい。例えば、ストリング３２Ｂは、第１の経路２０における全ての照明素子クラスタ１２から全ての青色ＬＥＤ１６Ｂを含んでいてもよい。あるいは、ストリング３２Ｒ、３２Ｇ、３２Ｂは、第１の経路２０における対応するＬＥＤの一部だけを含んでいてもよい。よって、第１の経路２０は、タイル１０に平行に配置された３つの直列ストリング３２Ｒ、３２Ｇ、３２Ｂを含み得る。
【００５２】
タイル１０における第２の経路２１は、平行に配置された３つの直列ストリング３１Ｒ、３１Ｇ、３１Ｂを含み得る。ストリング３１Ｒ、３１Ｇ、３１Ｂは、タイル１０の第２の端部に配置されたアノード接続部２６Ｒ、２６Ｇ，２６Ｂと、タイル１０の第１の端部に配置されたカソード接続部２８Ｒ、２８Ｇ、２８Ｂとに接続される。
【００５３】
図１乃至図３に示した実施形態は、照明デバイス１２当たり３つのＬＥＤチップ１６を含み、前記３つのＬＥＤチップ１６は、電気的に接続されて、経路２０、２１当たりＬＥＤ１６の少なくとも３つのストリングを形成する一方で、照明デバイス１２当たり３つより多い及び／又は少ないＬＥＤチップ１６が設けられてもよく、タイル１０における経路２０、２１当たり３つより多い及び／又は少ないＬＥＤストリングが設けられてもよい。例えば、照明デバイス１２は、１つの緑色ＬＥＤ１６Ｇだけを含んでいてもよく、この場合において、ＬＥＤは、経路２０、２１当たり３つのストリングを形成するように接続されてもよい。同様に、いくつかの実施形態において、照明デバイス１２における２つの緑色ＬＥＤチップは、互いに直列接続されてもよく、この場合には、経路２０、２１当たり緑色ＬＥＤチップの１つのストリングだけが存在してもよい。さらに、タイル１０は、複数の経路２０、２１の代わりに１つの経路２０だけを含んでいてもよく、及び／又は２つの経路２０、２１より多い経路が１つのタイル１０に設けられてもよい。
【００５４】
複数のタイル１０が、図４Ａに示したように、大きな照明棒状アッセンブリ３０を形成するように組み立てられ得る。図４Ａに示したように、棒状アッセンブリ３０は、端部と端部とを接続された２つ以上のタイル１０、１０’１０”を含み得る。よって、図３及び図４を参照すると、最も左のタイル１０の第１の経路２０のカソード接続部２４は中央のタイル１０’の第１の経路２０のアノード接続部２２に電気的に接続され、中央のタイル１０’の第１の経路２０のカソード接続部２４は最も右のタイル１０”の第１の経路２０のアノード接続部２２に電気的に接続され得る。同様に、最も左のタイル１０の第２の経路２１のアノード接続部２６は、中央のタイル１０’の第２の経路２１のカソード接続部２８に電気的に接続され、中央のタイル１０’の第２の経路２１のアノード接続部２６は、最も右のタイル１０”の第２の経路２１のカソード接続部２８に電気的に接続され得る。
【００５５】
さらに、最も右のタイル１０”の第１の経路２０のカソード接続部２４は、ループバックコネクタ３５により、最も右のタイル１０”の第２の経路２１のアノード接続部２６に電気的に接続され得る。例えば、ループバックコネクタ３５は、最も右のタイル１０”の第１の経路２０の赤色ＬＥＤチップ１６Ｒのストリング３２Ｒのカソード２４Ｒを最も右のタイル１０”の第２の経路２１の赤色ＬＥＤチップのストリング３１Ｒのアノード２６Ｒに電気的に接続し得る。このように、第１の経路２０のストリング３２Ｒは、ループバックコネクタ３５の導体３５Ｒにより、第２の経路２１のストリング３１Ｒと直列接続されて、赤色ＬＥＤチップ１６Ｒの１つのストリングを形成してもよい。タイル１０、１０’、１０”の経路２０、２１の別のストリングは、同様に接続され得る。
【００５６】
ループバックコネクタ３５は、エッジコネクタ、フレキシブル配線板、又はいかなる別の適切なコネクタを含んでいてもよい。さらに、ループコネクタは、タイル１０上又は内に形成されたプリントされたトレース及び／又はワイヤループを含んでいてもよい。
【００５７】
図４Ａに示した棒状アッセンブリ３０はタイル１０の１次元アレイであるが、別の構造であってもよい。例えば、タイル１０は、タイル１０が同一平面に全て配置される２次元アレイ、又はタイル１０が全て同一平面に配置されるとは限らない３次元構造に配置・接続されてもよい。さらに、タイル１０は、長方形又は正方形である必要はなく、例えば六角形又は三角形等であってもよい。
【００５８】
図４Ｂを参照すると、いくつかの実施形態において、複数の棒状アッセンブリ３０は、例えばＬＣＤディスプレイ用のバックライトユニット（ＢＬＵ）として使用され得る照明パネルを形成するように組み合わされてもよい。図４Ｂに示したように、照明パネル４０は、４つの棒状アッセンブリ３０を含み、前記４つの棒状アッセンブリの各々は６つのタイル１０を含んでいる。各棒状アッセンブリ３０の最も右のタイル１０は、ループバックコネクタを含み得る。よって、各棒状アッセンブリ３０は、ＬＥＤの３つのストリング（すなわち１つの赤色のストリング、１つの緑色のストリング、１つの青色のストリング）を含み得る。
【００５９】
いくつかの実施形態において、棒状アッセンブリ３０は３個のＬＥＤストリング（１つの赤色のＬＥＤストリング、１つの緑色のＬＥＤストリング、１つの青色のＬＥＤストリング）を含み得る。このように、９個の棒状アッセンブリを含む照明パネル４０は、２７個の別個のＬＥＤのストリングを有し得る。さらに、８個の固体照明素子クラスタ１２をそれぞれ有する６個のタイル１０を含む棒状アッセンブリ３０において、ＬＥＤストリングは、直列接続された４８個のＬＥＤを含み得る。
【００６０】
バックライトアッセンブリ１００が、図５の分解斜視図に示されている。図５に示したように、バックライトアッセンブリ１００は複数のタイル１０を含み、前記複数のタイル１０は、タイルに２次元アレイで配置された照明素子クラスタ１２を有している。タイル１０は対応する棒状部２０に取り付けられ、前記棒状部２０は、支持のために金属プレートを含み得るカバー底部４４に取り付けられる。いくつかの実施形態において、タイル１０はカバー底部４４に直接取り付けられてもよい。反射パネル４０を貫通する複数の開口部４２を含む反射パネル４０は、前記複数の開口部４２がタイル１０上に設けられた各照明素子クラスタ１２と整列し得るように、タイルの上に取り付けられる。
【００６１】
グラファイト熱スペーサ４１のような任意の熱スペーサが、カバー底部４４と棒状部２０との間に設けられてもよい。熱スペーサ４１は、例えば異方性カーボンスプレッダを含んでいてもよい。例えば、異方性カーボンスプレッダは、オハイオ州クリーブランドのグラフテックインターナショナル社（Ｇｒａｐｈｔｅｃ  Ｉｎｔｅｒｎａｔｉｏｎａｌ，Ｌｔｄ）から入手可能なスプレッダシールド（Ｓｐｒｅａｄｅｒｓｈｉｅｌｄ）であってもよい。熱スペーサ４１は、システムにおける余分な熱の不均一性を分散させることを助ける。熱スペーサ４１は、カバー底部４４と棒状部２０との間の圧縮力により所定の位置に保持されてもよい。代替的に又は追加的に、熱スペーサ４１は、カバー底部４４に前もって取り付けられて、組み立てを終えるまで、例えば両面感圧接着テープを用いて所定の位置に保持されてもよい。
【００６２】
タイル１０は、例えば接着剤により、各棒状部２０に取り付けられてもよい。いくつかの実施形態において、接着剤は、棒状部２０とタイル１０との間に熱伝導性中間面を設けるように により製造された のような熱伝導性の感圧接着剤であってもよい。アッセンブリ全体は、例えば機械的接合具（図示せず）により、接合されてもよい。
【００６３】
本発明の実施形態によるタイル１０の更なる例が図６に示されている。タイル１０は、前記タイル１０に配置された複数の照明素子クラスタ１２を含み、前記複数の照明素子クラスタ１２は、タイル１０の第１の端部からタイル１０の第２の端部へ、第１のライン７４ａに沿って伸長する第１の複数の直列接続照明素子クラスタ１２ａと、タイル１０の第１の端部からタイル１０の第２の端部へ、第２のライン７４ｂに沿って伸長する第２の複数の直列接続照明素子クラスタ１２ｂとを含み、前記第２の複数の直列接続照明素子クラスタ１２ｂは、前記第１の複数の照明素子クラスタ１２ａから長さｄだけオフセットされている。長さｄは、第１の複数の照明素子クラスタ１２ａ及び／又は第２の複数の照明素子クラスタ１２ｂの隣接する照明素子クラスタ同士の間の長さ（距離・間隔）の約半分であってもよく、照明素子クラスタ１２は、タイル１０に亘って配列された複数の三角形配置を形成する。
【００６４】
照明素子クラスタ１２は、図７の部分断面図において、より詳しく示されている。照明素子クラスタ１２は、金属板８０に誘電体層８２を含み得るタイル基板に形成される。第１の電気配線８４が、固体発光デバイス（ＬＥＤ）７６のための電気コネクタ及びマウントパッドとして機能する。特に、第１の電気配線８４は、第１の電気配線に電気的な絶縁及び／又は物理的な防護を与えるはんだマスク７８によりほぼ覆われている。なお、はんだマスク７８は、第１の電気配線８４の一部８５を露出するようにパターン化され、前記第１の電気配線８４の一部８５はダイ取付パッドとして使用されてもよい。同様に、はんだマスク７８は、第２の電気配線８６の一部８７を露出するようにパターン化され、前記第２の電気配線８６の一部８７はワイヤボンドパッドとして機能してもよい。
【００６５】
図７にさらに示したように、本発明のいくつかの実施形態において、ＬＥＤ７６の接続部は、ワイヤボンド接続部８８を介して、第２の電気配線８６のワイヤ取付パッド８７にワイヤボンドされている。しかし、ＬＥＤ７６が、フリップチップ構造で取り付けられる水平デバイスであるならば、つまり、ＬＥＤ７６が、デバイスの同一のサイドにおいてアノード接続部及びカソード接続部を有し、第１の電気配線８４及び第２の電気配線８６にそれぞれ接続され、接着された状態で取り付けられるならば、ワイヤボンド接続部８８は必要ではない。同様に、ＬＥＤ７６は、同一のサイドにおいてアノード接続部及びカソード接続部を備え得るサブマウント部（図示せず）に取り付けられてもよい。ワイヤボンドは、別の構造においては必ずしも必要ではない。しかし、以下において説明するように、ワイヤボンド接続はクロスオーバ接続を形成する能力を備え得るので、ワイヤボンド接続が望ましいかもしれない。
【００６６】
照明素子クラスタ１２は、図８に示したように、一対以上のダイ接着／ワイヤ取付パッドを含み、１つ以上のＬＥＤ７６を備えていてもよい。図８は照明素子クラスタ１２の平面図である。図８に示したように、照明素子クラスタ１２は、複数のダイ取付パッド８５ａ乃至８５ｃを含んでいてもよく、複数の第１の電気配線８４ａ乃至８４ｃの各々は、前記複数のダイ取付パッド８５ａ乃至８５ｃから、照明素子クラスタ１２から離れるように伸長する。照明素子クラスタ１２は、複数のワイヤボンドパッド８７ａ乃至８７ｃをさらに含み、複数の第２の電気配線８６ａ乃至８６ｃの各々は、前記複数のワイヤボンドパッド８７ａ乃至８７ｃから、照明素子クラスタ１２から離れるように伸長する。ワイヤボンド接続部８８ａ乃至８８ｃは、ダイ取付パッド８５ａ乃至８５ｃにおけるＬＥＤ（図示せず）をワイヤ取付パッド８７ａ乃至８７ｃに接続する。ワイヤボンド部８８ａ、８８ｂのような１つ以上のワイヤボンド部が、照明素子クラスタ１２における１つ以上の電気配線を越えるクロスオーバ接続を備えていてもよい。
【００６７】
図８において、はんだマスク７８により覆われた電気配線８４ａ乃至８４ｃ及び８６ａ乃至８６ｃの部分は点線で示され、一方、はんだマスク７８により露出された電気配線８４ａ乃至８４ｃ及び８６ａ乃至８６ｃの部分は実線で示されている。
【００６８】
ダイ取付パッド８５ａ乃至８５ｃは、照明素子クラスタ１２における複数のＬＥＤマウント位置である。例えば、図８に示されているように、ダイ取付パッド８５ａ乃至８５ｃは、照明素子クラスタ１２の中心から見て、約９時の位置、約１時の位置、及び約５時の位置に配置された第１のマウント位置、第２のマウント位置、及び第３のマウント位置を有している三角形に配置され得る。なお、マウント位置の別の数及び別の配置が可能である。図８においてさらに示されているように、ダイ取付パッド８５ａ及びワイヤボンドパッド８７ａから伸長する電気配線８４ａ、８６ａは、照明素子クラスタ１２において向かい合うように配置されてもよく、図８の姿勢に関しては、第１の電気配線８４ａは、第１の電気配線８４ｂの上方にあり、前記第１の電気配線８４ｂは第１の電気配線８４ｃの上方にあり、一方、第２の電気配線８６ａは第２の電気配線８６ｂの上方にあり、前記第２の電気配線８６ｂは第２の電気配線８６ｃの上方にある。よって、第１の電気配線８４ａは、照明素子クラスタ１２において第２の電気配線８６ａと向かい合うようにあり、第１の電気配線８４ｂは、照明素子クラスタ１２において第２の電気配線８６ｂと向かい合うようにあり、第１の電気配線８４ｃは、照明素子クラスタ１２において第２の電気配線８６ｃと向かい合うようにある。
【００６９】
しかし、いくつかの実施形態において、光源の一方のサイドにおける電気配線が、光源の他方のサイドの電気配線に対して新たな方向を与えるように、配置されてもよい。例えば、図９に示したように、照明素子クラスタ１２’において、第１の電気配線８４ｂ’は第１の電気配線８４ｃ’の上方にあってもよく、前記第１の電気配線８４ｃ’は第１の電気配線８４ａ’の上方にあってもよい。以下において詳しく説明するように、この構造は、タイル１０上の隣接する照明素子クラスタ１２’における異なるマウント位置において同一の色のＬＥＤを直列接続する配置を容易にする。
【００７０】
第２の光源９２は、照明素子クラスタ１２’と直列接続される。第２の光源９２は、第１のダイマウントパッド９５ａ、第２のダイマウントパッド９５ｂ、及び第３のダイマウントパッド９５ｃ、並びに付随するワイヤ取付パッド９７ａ、９７ｂ、及び９７ｃを含んでいる。第１の組の電気配線９４ａ、９４ｂ、９４ｃが、ダイマウントパッド９５ａ、９５ｂ、９５ｃのそれぞれから第２の光源９２の第１のサイドに伸長する。第２の光源９２は、ワイヤボンドパッド９７ａ、９７ｂ、９７ｃの各々から第２の光源９２の第２のサイドへ伸長する第２の組の電気配線９６ａ、９６ｂ、９６ｃをさらに含んでいる。
【００７１】
図９に示したように、照明素子クラスタ１２’の電気配線８４ｂ’は第２の光源９２の電気配線９６ａに接続されて、第２のダイ取付パッド８５ｂに取り付けられたＬＥＤは、第２の光源９２の第１のダイ取付パッド９５ａに取り付けられたＬＥＤと直列接続される。同様に、照明素子クラスタ１２’の電気配線８４ｃ’は第２の光源９２の電気配線９６ｂに接続され、第３のダイ取付パッド８５ｃに取り付けられたＬＥＤは、第２の光源９２の第２のダイ取付パッド９５ｂに取り付けられたＬＥＤと直列接続され得る。同様に、照明素子クラスタ１２’の電気配線８４ａ’は第２の光源９２の電気配線９６ｃに接続され、第１のダイ取付パッド８５ａに取り付けられたＬＥＤは、第２の光源９２の第３のダイ取付パッド９５ｃに取り付けられたＬＥＤと直列接続され得る。このように、隣接する光源の異なるマウント位置に取り付けられたＬＥＤが容易に直列接続され得る。
【００７２】
図１０を参照すると、タイル１０は、第１のライン７４ａに沿って配置された直列接続された照明素子クラスタ１２ａ−１乃至１２ａ−４の第１の列と、第２のライン７４ｂに沿って配置された直列接続された照明素子クラスタ１２ｂ−１乃至１２ｂ−４の第２の列とを含んでいる。照明素子クラスタ１２ａ−１乃至１２ａ−４及び１２ｂ−１乃至１２ｂ−４の各々は、照明素子クラスタ１２の約９時の位置、約１時の位置、及び約５時の位置に配置された３つのマウント位置を含んでいる。赤色ＬＥＤ、緑色ＬＥＤ、青色ＬＥＤが、照明素子クラスタ１２ａ−１乃至１２ａ−４及び１２ｂ−１乃至１２ｂ−４の各々に取り付けられ得る。ライン７４ａ、７４ｂにおける同一の色のＬＥＤは、電気的に直列接続されて、ＬＥＤのストリングを形成する。しかし、各ＬＥＤは、隣接する照明素子クラスタ１２における同一の色のＬＥＤとは異なるマウント位置に取り付けられる。例えば、照明素子クラスタ１２ａ−１において、赤色ＬＥＤは、照明素子クラスタ１２ａ−１の第１のマウント位置において符号Ｒにより示されているように、第１のマウント位置に取り付けられている。同様に、符号Ｇにより示されているように、緑色ＬＥＤは、照明素子クラスタ１２ａ−１の第２のマウント位置に取り付けられ、符号Ｂにより示されているように、青色ＬＥＤは第３のマウント位置に取り付けられている。
【００７３】
同一ライン７４ａの隣接する照明素子クラスタ１２ａ−２において、赤色ＬＥＤは第３のマウント位置に取り付けられ、緑色ＬＥＤは第１のマウント位置に取り付けられ、青色ＬＥＤは第２のマウント位置に取り付けられている。続いて、第１のライン７４ａの次の照明素子クラスタ１２ａ−３において、赤色ＬＥＤは第２のマウント位置に取り付けられ、緑色ＬＥＤは第３のマウント位置に取り付けられ、青色ＬＥＤは第１のマウント位置に取り付けられている。
【００７４】
同様に、隣接するラインの隣接する光源におけるＬＥＤは、異なる位置に取り付けられ得る。例えば、第２のライン７４ｂの照明素子クラスタ１２ｂ−１におけるＬＥＤのマウント位置は、第１のライン７４ａの照明素子クラスタ１２ａ−１及び１２ａ−２における隣接するＬＥＤのマウント位置とは異なっている。
【００７５】
さらに一般的には、照明素子クラスタ１２は、光源におけるＬＥＤのマウント位置が隣接する光源において繰り返されないように構成されてもよい。例えば、照明素子クラスタ１２ｂ−２において、赤色ＬＥＤが第１のマウント位置に配置されているが、照明素子クラスタ１２ｂ−２に隣接する光源の各々（すなわち、照明素子クラスタ１２ｂ−１、１２ａ−２、１２ａ−３、及び１２ｂ−３）において、青色ＬＥＤ又は緑色ＬＥＤが第１のマウント位置に配置されている。
【００７６】
タイル１０の色の均一性は、隣接する照明素子クラスタ１２における異なるマウント位置に同一の色のＬＥＤを配置することにより改善される。例えば、異なるマウント位置に取り付けられたＬＥＤは、レンズ効果（ｌｅｎｓｉｎｇ）、シャドーイング効果（ｓｈａｄｏｗｉｎｇ）、反射効果、及び／又は別の光学的効果のために、異なる発光パターンを有し得る。このように、異なる色のＬＥＤのマウント位置を変更することにより、レンズ効果、シャドーイング効果、反射効果、及び／又は光学的効果は、タイル１０における照明素子クラスタ１２により生成された構成色の全てに亘って分散され得る。
【００７７】
固体照明タイルを形成する方法が図１１に示されている。前記方法は、タイル上に複数の光源位置を画定するステップ（ブロック６１０）を含んでいる。光源位置は、タイルにおいて所定配列された複数の三角形配置に配置され得る。光源位置は、第１のダイ取付パッド、第２のダイ取付パッド、及び第３のダイ取付パッドを有する第１のマウント位置、第２のマウント位置、及び第３のマウント位置を含む。第１の色の光を発光するように構成された第１の発光デバイスが、第１の光源位置の第１のマウント位置に取り付けられ（ブロック６２０）、別の色のＬＥＤが、第１の光源位置近傍の光源位置の第１のマウント位置に取り付けられる（ブロック６３０）。特に、第１の色の光以外の色の光を発光するように構成された第２の発光デバイスが、第１の光源位置近傍の第２の光源位置の第１のマウント位置に取り付けられる。
【００７８】
第１の色のＬＥＤが、隣接する光源位置の第１のマウント位置以外のマウント位置に取り付けられる（ブロック６４０）。特に、第１の色の光を発光するように構成された第３の発光デバイスが、第２の光源位置の第１のマウント位置以外のマウント位置に取り付けられる。別の色のＬＥＤが、第１の光源位置の第１のマウント位置以外のマウント位置に取り付けられる（ブロック６５０）。全てのマウント位置が満たされるまで、各光源位置について、上記パターンが繰り返される（ブロック６６０）。
【００７９】
図１２を参照すると、保持ホール３５ａ、３５ｂは、照明素子クラスタ１２から可能な限り離れるように配置され得る。反射パネル４０を接合するために保持ホール３５ａ、３５ｂに挿入される接合具は、照明素子クラスタ１２から発光された光を妨害する及び／又は吸収し得る。よって、保持ホール３５ａ、３５ｂは、３つの隣接する照明素子クラスタ１２により形成される三角形のほぼ中心に配置され得る。例えば、図１２に示したように、保持ホール３５ａは、照明素子クラスタ１２ａ−１、１２ａ−２、及び１２ｂ−１により画定される三角形のほぼ中心に配置され、一方、保持ホール３５ｂは、照明素子クラスタ１２ａ−３、１２ａ−４、及び１２ｂ−３により画定される三角形のほぼ中心に配置されている。このように、保持ホール３５ａ、３５ｂは、複数の隣接する照明素子クラスタ１２からほぼ等距離に配置され得る。
【００８０】
さらに、図１２に示したように、隣接する光源が三角形を形成するように、照明素子クラスタ１２はパターン化されて配置され得る。いくつかの実施形態において、三角形は正三角形であってもよい。しかし、三角形は、いくつかの実施形態において正三角形でなくてもよい。ピッチ距離（すなわち、隣接する光源同士の間の距離）は、タイル１０と前記タイル１０により照らされるディスプレイスクリーンとの間の高さのような望まれる用途の寸法により設定されてもよい。ピッチ距離が離れすぎているならば、照明素子クラスタ１２により生成された光は正しく散乱されず、明るい／暗いスポットが見られるかもしれない。ピッチ距離が近すぎるならば、ディスプレイは効率的でないかもしれない。
【００８１】
図１３を参照すると、本発明のいくつかの実施形態による複数のタイル１０を含む照明パネル５４０は、液晶ディスプレイ（ＬＣＤ）５５０のようなディスプレイ用のバックライトとして使用され得る。固体バックライトパネルを制御するシステム及び方法は、例えば、本発明の譲受人（本出願人）に譲渡された発明の名称「固体照明パネルの光出力の適応調整（Ａｄａｐｔｉｖｅ  Ａｄｊｕｓｔｍｅｎｔ  ｏｆ  Ｌｉｇｈｔ  Ｏｕｔｐｕｔ  ｏｆ  Ｓｏｌｉｄ  Ｓｔａｔｅ  Ｌｉｇｈｔｉｎｇ  Ｐａｎｅｌｓ）」（２００６年３月６日に出願した米国特許出願第１１／３６８，９７６号（代理人整理番号５３０８−６３２））において説明されており、前記米国特許出願第１１／３６８，９７６号の全内容は本明細書に組み込まれたものとする。図１３に示したように、ＬＣＤ５５０は、照明パネル５４０を含み得る。照明パネル５４０は、照明パネル５４０により発せられた光５５６がＬＣＤスクリーンを通過して、ＬＣＤスクリーン用のバックライトとなるように、ＬＣＤスクリーン５５４に対して位置決めされる。ＬＣＤスクリーン５５４は、適切に配置されたシャッタ及び付随するフィルタを含んでいる。前記適切に配置されたシャッタ及び付随するフィルタは、照明パネル５４０からの光５５６の選択された色を選択的に通過／遮断して、表示画像を生成するように構成されている。
【００８２】
図１４を参照すると、本発明のいくつかの実施形態による複数のタイル１０を含む照明パネル５４０は、固体照明設備、すなわち照明器具５６０用の照明パネルとして使用され得る。照明器具５６０により発光された光５６６は、領域及び／又は物体を照らすのに使用され得る。固体照明器具は、例えば、本発明の譲受人（本出願人）に譲渡された発明の名称「通常の照明用の固体照明器具（Ｓｏｌｉｄ  Ｓｔａｔｅ  Ｌｕｍｉｎａｉｒｅｓ  ｆｏｒ  Ｇｅｎｅｒａｌ  Ｉｌｌｕｍｉｎａｔｉｏｎ）」（２００６年４月２１日に出願した米国特許出願第１１／４０８，６４８号）において説明されており、かかる米国特許出願第１１／４０８，６４８号の内容の全ては本出願に組み込まれたものとする。
【００８３】
図面及び明細書において、本発明の典型的な実施形態が開示された。特定の用語が使用されたが、これらは一般的な意味且つ説明のために使用されているだけであり、限定の目的で使用されているわけではない。本発明の範囲は特許請求の範囲に記載されている。
【図面の簡単な説明】
【００８４】
【図１】本発明の実施形態による固体照明タイルの平面図である。
【図２】本発明の実施形態による複数の固体発光デバイス（ＬＥＤ）を含む固体光源の平面図である。
【図３】本発明の実施形態による固体照明タイルにおけるＬＥＤ同士の電気的相互接続を示す概略回路図である。
【図４Ａ】本発明の実施形態による複数の固体照明タイルを含む棒状アッセンブリの平面図である。
【図４Ｂ】複数の棒状アッセンブリを含む本発明の実施形態による照明パネルの平面図である。
【図５】本発明の実施形態による固体照明タイルを含む固体照明パネルの分解斜視図である。
【図６】本発明の実施形態による固体照明タイルの平面図である。
【図７】本発明の実施形態による光源を含む固体照明タイルの部分断面図である。
【図８】本発明の実施形態により形成された光源の平面図である。
【図９】本発明のさらなる実施形態により形成された１対の光源の平面図である。
【図１０】本発明の実施形態による固体照明タイルの上面図である。
【図１１】本発明の実施形態による動作・処理を示しているフローチャートである。
【図１２】本発明の実施形態による固体照明タイルの平面図である。
【図１３】本発明の実施形態による固体照明タイルを含む固体バックライトを有する液晶ダイオードディスプレイの側面図である。
【図１４】本発明の実施形態による固体照明タイルを含む固体照明パネルの図である。
【図１】
2009516358.tif 000003
【図２】
2009516358.tif 000004
【図３】
2009516358.tif 000005
【図４Ａ】
2009516358.tif 000006
【図４Ｂ】
2009516358.tif 000007
【図５】
2009516358.tif 000008
【図６】
2009516358.tif 000009
【図７】
2009516358.tif 000010
【図８】
2009516358.tif 000011
【図９】
2009516358.tif 000012
【図１０】
2009516358.tif 000013
【図１１】
2009516358.tif 000014
【図１２】
2009516358.tif 000015
【図１３】
2009516358.tif 000016
【図１４】
2009516358.tif 000017
【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
固体照明タイルであって、
基板と、
前記基板の表面に設けられた複数の照明素子クラスタと、
第１の色の光を発光するように構成された複数の固体発光デバイスと、
を含み、
前記複数の照明素子クラスタの各々が固体発光デバイスを備えるように構成された第１のマウント位置及び第２のマウント位置を有し、前記照明素子クラスタの少なくとも第１の照明素子クラスタ及び第２の照明素子クラスタが電気的に直列接続され、
前記固体発光デバイスの各々が前記複数の照明素子クラスタの各々に取り付けられ、第１の前記第１の色発光デバイスが、前記第１の照明素子クラスタの前記第１のマウント位置に取り付けられ、第２の前記第１の色発光デバイスが前記第２の照明素子クラスタの前記第２のマウント位置に取り付けられ、
前記第１の照明素子クラスタ及び前記第２の照明素子クラスタは、前記基板の第１の端部から前記第１の端部の反対の前記基板の第２の端部に伸長する第１の経路において直列接続され、前記照明パネルは、第２の経路において直列接続された第３の照明素子クラスタ及び第４の照明素子クラスタをさらに含み、前記第２の経路は、前記基板の前記第２の端部から前記基板の前記第１の端部へ第１の配線に平行に伸長し、
前記第１の経路は、前記基板の第１の端部に接触したアノードと前記基板の前記第２の端部に接触したカソードとを含み、前記第２の経路は、前記基板の第２の端部に接触したアノードと前記基板の前記第１の端部に接触したカソードとを含むことを特徴とする固体照明タイル。
【請求項２】
前記第１の照明素子クラスタ及び前記第２の照明素子クラスタに直列接続された第３の照明素子クラスタをさらに含み、
前記照明素子クラスタの各々が、固体発光デバイスを備えるように構成された第３のマウント位置を有し、
第３の前記第１の色発光デバイスが前記第３の照明素子クラスタの前記第３のマウント位置に取り付けられることを特徴とする請求項１に記載の固体照明タイル。
【請求項３】
前記第１の前記第１の色発光デバイス、前記第２の前記第１の色発光デバイス、及び前記第３の前記第１の色発光デバイスは電気的に直列接続されることを特徴とする請求項２に記載の固体照明タイル。
【請求項４】
前記照明素子クラスタの前記第１のマウント位置は、前記照明素子クラスタの中心から見て、前記照明素子クラスタの前記第２のマウント位置から回転方向にオフセットされていることを特徴とする請求項１に記載の固体照明タイル。
【請求項５】
前記照明素子クラスタの各々が、固体発光デバイスを備えるように構成された第３のマウント位置を含むことを特徴とする請求項４に記載の固体照明タイル。
【請求項６】
前記照明素子クラスタの前記第３のマウント位置は、前記照明素子クラスタの前記中心から見て、前記第１のマウント位置及び前記第２のマウント位置から回転方向にオフセットされていることを特徴とする請求項５に記載の固体照明タイル。
【請求項７】
前記基板の表面に設けられた反射パネルをさらに含み、前記反射パネルは、前記複数の照明素子クラスタの各々と整列された複数の開口部を有することを特徴とする請求項１に記載の固体照明タイル。
【請求項８】
前記反射パネルは拡散反射体を含むことを特徴とする請求項７に記載の固体照明タイル。
【請求項９】
前記反射パネルはＭＣＰＥＴを含むことを特徴とする請求項８に記載の固体照明タイル。
【請求項１０】
前記照明素子クラスタの各々は、前記固体照明デバイスの上に設けられたカプセルドームを含むことを特徴とする請求項１に記載の固体照明タイル。
【請求項１１】
前記マウント位置の各々に、マウントパッドと、前記マウントパッドから伸長する導線とが設けられ、前記照明素子クラスタの各々は、各前記照明素子クラスタの前記マウント位置を露出するはんだマスクをさらに含み、各前記照明素子クラスタの前記カプセルドームは、前記照明素子クラスタの前記マウントパッドと前記導線とを覆うことを特徴とする請求項１０に記載の固体照明タイル。
【請求項１２】
前記照明素子クラスタの１つに隣接する電気的テストパッドをさらに含み、前記電気的テストパッドは、前記照明素子クラスタの１つの前記発光デバイスの個別のテストを可能にするように構成されていることを特徴とする請求項１０に記載の固体照明タイル。
【請求項１３】
前記固体照明タイルを貫通する保持ホールをさらに含み、前記保持ホールは、前記第１の配線における前記第１の照明素子クラスタ及び前記第２の照明素子クラスタと第２の配線の前記第３の照明素子クラスタ又は前記第４の照明素子クラスタの一方とにより構成される三角形の中心付近に配置されていることを特徴とする請求項１に記載の固体照明タイル。
【請求項１４】
前記第１の照明素子クラスタ及び前記第２の照明素子クラスタと共に前記タイルにおいて三角形を画定する第３の照明素子クラスタをさらに含み、
前記第１の照明素子クラスタ、前記第２の照明素子クラスタ、及び前記第３の照明素子クラスタの各々は、照明素子クラスタを備えるように構成された第３のマウント位置を含み、
第３の前記第１の色発光デバイスは前記第３の照明素子クラスタの前記第３のマウント位置に取り付けられることを特徴とする請求項１に記載の固体照明タイル。
【請求項１５】
前記第１の照明素子クラスタ、前記第２の照明素子クラスタ、及び前記第３の照明素子クラスタは、正三角形を形成するように配置されることを特徴とする請求項１４に記載の固体照明タイル。
【請求項１６】
請求項１に記載の固体照明タイルを含むＬＣＤディスプレイ用のバックライト。
【請求項１７】
請求項１に記載の固体照明タイルを含む固体照明器具。
【請求項１８】
固体照明タイルであって、
基板と、
前記基板の表面に設けられた複数の照明素子クラスタと、
第１の色の光を発光するように構成された複数の第１の固体発光デバイスと、第２の色の光を発光するように構成された複数の第２の固体発光デバイスと、第３の色の光を発光するように構成された複数の第３の固体発光デバイスと、
を含み、
前記複数の照明素子クラスタの各々は固体発光デバイスを備えるように構成された第１のマウント位置、第２のマウント位置、及び第３のマウント位置を含み、
前記第１の固体発光デバイス、前記第２の固体発光デバイス、及び前記第３の固体発光デバイスの各々は、前記複数の照明素子クラスタの各々に取り付けられ、前記照明素子クラスタの各々は、第１の固体発光デバイス、第２の固体発光デバイス、及び第３の固体発光デバイスを含み、
前記照明素子クラスタは、前記照明素子クラスタにおける各前記第１の発光デバイス、前記第２の発光デバイス、及び第３の発光デバイスのマウント位置が隣接する照明素子クラスタにおいて繰りかえされないことを特徴とする固体照明タイル。
【請求項１９】
前記照明素子クラスタの前記第１のマウント位置は、前記照明素子クラスタの中心から見て、前記照明素子クラスタの前記第２のマウント位置から回転方向にオフセットされていることを特徴とする請求項１８に記載の固体照明タイル。
【請求項２０】
前記照明素子クラスタの前記第３のマウント位置は、前記照明素子クラスタの前記中心から見て、前記第１のマウント位置及び前記第２のマウント位置から回転方向にオフセットされていることを特徴とする請求項１９に記載の固体照明タイル。
【請求項２１】
前記複数の照明素子クラスタは、第１のラインに沿って配置された第１のグループの照明素子クラスタと、前記第１のラインに平行である第２のラインに沿って配置された第２のグループの照明素子クラスタとを含み、前記第２のグループの照明素子クラスタは前記第１のグループの照明素子クラスタから長手方向にオフセットされていることを特徴とする請求項１８に記載の固体照明タイル。
【請求項２２】
前記第２のグループの照明素子クラスタは、前記第１のグループの照明素子クラスタから長さｄだけオフセットされ、前記長さｄは、前記第１のグループの照明素子クラスタにおける前記照明素子クラスタの隣接する前記照明素子クラスタ同士の間の間隔の約半分であることを特徴とする請求項２１に記載の固体照明タイル。
【請求項２３】
請求項１８に記載の固体照明タイルを含むＬＣＤディスプレイ用のバックライト。
【請求項２４】
請求項１８に記載の固体照明タイルを含む固体照明器具。
【請求項２５】
基板と、
前記基板の表面に設けられた少なくとも２つの照明素子クラスタと、
を含む固体照明タイルであって、
前記照明素子クラスタの各々は、
固体発光デバイスを備えるように構成された第１のダイ取付パッド及び第２のダイ取付パッドと、
前記第１のダイ取付パッド及び前記第２のダイ取付パッドのそれぞれに取り付けられた第１の発光ダイオード及び第２の発光ダイオードと、
前記第１のダイ取付パッド及び前記第２のダイ取付パッドに付随した第１のワイヤボンドパッド及び第２のワイヤボンドパッドと、
前記第１のダイ取付パッド及び前記第２のダイ取付パッドから前記照明素子クラスタの第１のサイドに伸長する第１の電気配線及び第２の電気配線と、
第１のワイヤボンドパッド及び第２のワイヤボンドパッドから前記第１のサイドの反対の前記照明素子の第２のサイドに伸長する第３の電気配線及び第４の電気配線と、
を含み、
前記第２の電気配線は、第１の電気配線よりも、前記照明素子クラスタの前記第１のサイドと前記第２のサイドとの間の前記照明素子クラスタの第３のサイドに近く、前記第３の電気配線は、前記第４の電気配線よりも前記照明素子クラスタの前記第３のサイドに近く、
前記少なくとも２つのクラスタの隣接する前記クラスタにおける前記発光ダイオードは、電気的に接続され、これらの各クラスタの中心から見て、異なるマウント位置に配置されていることを特徴とする固体照明タイル。
【請求項２６】
前記照明素子クラスタは、
固体発光デバイスを備えるように構成された第３のダイ取付パッドと、
前記第３のダイ取付パッドに付随した第３のワイヤボンドパッドと、
前記第３のダイ取付パッドから前記照明素子クラスタの前記第１のサイドに伸長する第５の電気配線と、
前記第３のワイヤボンドパッドから前記照明素子クラスタの前記第２のサイドに伸長する第６の電気配線と、
をさらに含み、
前記第５の電気配線は、前記照明素子クラスタの前記第１のサイドにおける前記第１の電気配線と前記第２の電気配線との間にあり、前記第３の電気配線は、前記照明素子クラスタの前記第２のサイドにおける前記第４の電気配線と前記第６の電気配線との間にあることを特徴とする請求項２５に記載の固体照明タイル。
【請求項２７】
前記第１のダイ取付パッドは、前記照明素子クラスタの中心から見て、前記第２のダイ取付パッドから回転方向にオフセットされていることを特徴とする請求項２６に記載の固体照明タイル。
【請求項２８】
前記第３のダイ取付パッドは、前記照明素子クラスタの前記中心から見て、前記第１のダイ取付パッド及び前記第２のダイ取付パッドから回転方向にオフセットされていることを特徴とする請求項２７に記載の固体照明タイル。
【請求項２９】
請求項２５に記載の固体照明タイルを含むＬＣＤディスプレイ用のバックライト。
【請求項３０】
請求項２５に記載の固体照明タイルを含む固体照明器具。
【国際調査報告】
2009516358.tif 000018
2009516358.tif 000019
2009516358.tif 000020